(57)【要約】      （修正有）【課題】コネクタポート、接続部材、弾性部材及びロック部材の組合設計によって、組み立て易く、無断接続への防止手段、窃盗の防止手段、耐用性と実用性、進歩性及び利便性を備えたコネクタポートのロック構造を提供する。【解決手段】コネクタポート１０と、接続部材２０と、弾性部材３０と、ロック部材４０とを含み、コネクタポート１０は受容空間とスライド溝とを有し、コネクタポート１０の後端に接続部材２０が結合され、接続部材２０に位置決め部が設けられ、弾性部材３０に少なくとも一つの弾性係合部３１が設けられ、接続部材２０の位置決め部内に弾性部材３０が設けられ、ロック部材４０にフック部４２が設けられ、フック部４２が弾性部材３０の少なくとも一つの弾性係合部と互いに係合され、コネクタポート１０のスライド溝内にロック部材４０が設けられる。【選択図】図２
0003178693.tif 000002
【実用新案登録請求の範囲】
【請求項１】
受容空間とスライド溝とを有し、前記受容空間の一側面に前記スライド溝が位置されているコネクタポートと、
前記コネクタポートの後端に結合され、位置決め部が設けられた接続部材と、
少なくとも一つの弾性係合部が設けられ、前記接続部材の前記位置決め部内に設けられた弾性部材と、
一端に棒材部が設けられ、前記棒材部の後端にフック部が設けられ、前記フック部が前記弾性部材の少なくとも一つの弾性係合部と互いに係合され、前記棒材部の両側に板材部が後ろ向きに延在して接続され、前記コネクタポートのスライド溝内に設けられたロック部材と、を含むコネクタポートのロック構造。
【請求項２】
前記接続部材の位置決め部は凹溝であり、
前記弾性部材に接続部が設けられ、前記接続部の両端に係止部がそれぞれ垂直に延在し、各係止部の末端に曲折部が延在されて、
前記弾性部材の各曲折部を前記接続部材の凹溝内壁に係止可能となるように対応する両弾性係合部が形成され、
前記ロック部材のフック部が前記対応する２つの弾性係合部の係止部の間に係止されていることを特徴とする請求項１に記載のコネクタポートのロック構造。
【請求項３】
前記ロック部材のフック部を挿通するため、前記接続部材の凹溝内に貫通孔が設けられていることを特徴とする請求項２に記載のコネクタポートのロック構造。
【請求項４】
前記弾性部材の位置を規制するため、前記接続部材の凹溝内に突起が設けられていることを特徴とする請求項２または３に記載のコネクタポートのロック構造。
【請求項５】
前記接続部材の位置決め部は枠体で、
前記弾性部材がシートであり、
前記シートが前記枠体と結合され、
前記シート内にＩ字状開孔が設けられて、
前記ロック部材のフック部を前記対応する２つの弾性係合部の間に係止可能となるように、前記Ｉ字状開孔の両側に２つの対応する弾性係合部が形成されていることを特徴とする請求項１に記載のコネクタポートのロック構造。
【請求項６】
前記シートが前記枠体と互いに結合されるため、前記接続部材の前記枠体の両側の内壁に凹溝が設けられ、前記シートの両側の外端に対応する突起が設けられていることを特徴とする請求項５に記載のコネクタポートのロック構造。
【請求項７】
前記スライド溝内に両側に設けられた滑り溝を有し、前記各滑り溝が前記スライド溝の延在方向に沿って設けられ、
前記各滑り溝内にガイド部が設けられ、前記ガイド部の内側に位置規制面が形成され、
前記ロック部材の一端にある棒材部の両側にストッパフランジが設けられ、前記ロック部材が前記スライド溝の延在方向に沿ってシフト運動を行うとき、前記棒材部の両側のストッパフランジが前記コネクタポートのガイド部の位置規制面に当接され、前記ロック部材の行き過ぎをストップさせることを特徴とする請求項１に記載のコネクタポートのロック構造。
【請求項８】
前記ロック部材の前記棒材部と前記板材部とが一体に成形された枠体であることを特徴とする請求項７に記載のコネクタポートのロック構造。
【請求項９】
前記コネクタポートは、固定式コネクタポートであることを特徴とする請求項１に記載のコネクタポートのロック構造。
【請求項１０】
前記コネクタポートは、引出し式コネクタポートであることを特徴とする請求項１に記載のコネクタポートのロック構造。
【請求項１１】
前記コネクタポートの後端に前記接続部材が接続されるため、前記コネクタポートの後端両側に２つのスロットが設けられ、前記接続部材の両側に２つのサイド棒が対応して設けられていることを特徴とする請求項１、２または５に記載のコネクタポートのロック構造。
【請求項１２】
前記コネクタポートのスライド溝の上方に貫通孔が隣接されていることを特徴とする請求項１に記載のコネクタポートのロック構造。
【考案の詳細な説明】
【技術分野】
【０００１】
本考案は、コネクタポートのロック構造に係り、特に、コネクタポート、接続部材、弾性部材及びロック部材の組合設計によって、組み立て易く、ケーブルの緩みへの防止、コネクタポートの無断接続への防止、ケーブル窃盗への防止、耐用及び実施便利などの効果を備え、様々なコネクタポートロック構造又は類似構造に適用できる。
【背景技術】
【０００２】
現在、建物内に電話回線、ＬＡＮケーブル及び電源線が埋設されるのがごく普通になり、特に、商業ビルでは、建物内、例えばオフィスビル、商業ビル、ホテルなどに様々な電線・ケーブルが埋設されている。一方、美観がありながら使用し易くなるため、建物の壁や床に様々な電線・ケーブルの接続コンセントが埋設されている。
【０００３】
ユーザは、設備に合わせてポートを利用する。例えば、インターネットに接続しようとすると、ＬＡＮケーブルでインターネット設備及び（ＬＡＮ用ＲＪ-４５）コネクタポートに接続すれば良い。インターネットを閲覧するサービスが提供されたホテルでは、宿泊客にＬＡＮケーブルを提供するのが一般的であり、宿泊客は、宿泊期間にインターネットを閲覧するための個人用設備に直接的に接続すれば、インターネットを閲覧するサービスを利用することができる。
しかしながら、普段に使われているコネクタポート（ＬＡＮ用ＲＪ-４５コネクタポート）又は電話回線ポートは、何れも差し込めば即利用できるタイプである。ＬＡＮケーブルを抜き差しし易いが、緩くなったり、窃盗及び紛失し易いなどの恐れもある。
【０００４】
窃盗及び無断接続を有効に防止するとともに実施便利となるコネクタポートのロック構造を提供することによって、従来技術のコネクタポートに窃盗防止及び無断接続防止の機能が欠けている問題を克服することが、本考案の考案者が本考案を創作した動機である。
【考案の概要】
【考案が解決しようとする課題】
【０００５】
本考案は、コネクタポート、接続部材、弾性部材及びロック部材の組合設計によって、組み立て易く、無断接続への防止手段、窃盗の防止手段、耐用性と実用性、進歩性及び利便性を備えたコネクタポートのロック構造を提供することを主な目的とする。
【課題を解決するための手段】
【０００６】
前記目的を達成するため、本考案のコネクタポートのロック構造は、コネクタポートと、接続部材と、弾性部材と、ロック部材とを含み、前記コネクタポートは受容空間とスライド溝とを有し、前記受容空間の一側面に前記スライド溝が位置され、前記コネクタポートの後端に前記接続部材が結合され、前記接続部材に位置決め部が設けられ、前記弾性部材に少なくとも一つの弾性係合部が設けられ、前記接続部材の前記位置決め部内に前記弾性部材が設けられ、前記ロック部材の一端に棒材部が設けられ、前記棒材部の後端にフック部が設けられ、前記フック部が前記弾性部材の少なくとも一つの弾性係合部と互いに係合され、前記ロック部材の棒材部の両側に板材部が後ろ向きに延在して接続される。
前記コネクタポートのスライド溝内に前記ロック部材が設けられることによって、組み立て易く、ケーブルの緩みの防止、コネクタポートの無断接続への防止、ケーブル窃盗の防止、耐用性の向上などの効果を備え、全体の実用性、安全性及び利便性が向上される。
【０００７】
本考案の上記技術内容及びその他の目的、利点について、以下の実施例及び添付図面を用いて説明する。
【０００８】
本考案は、部品の構造上、多少変更されても容認できる。本明細書において、それぞれの実施例について詳細に説明するとともに、その構造について添付図面に示す。
【図面の簡単な説明】
【０００９】
【図１】本考案に係る第１実施例の外観を示す斜視図である。
【図２】本考案に係る第１実施例を示す分解斜視図である。
【図３】本考案に係る第１実施例を示す他の角度からの分解斜視図である。
【図４】本考案に係る第１実施例を示す断面図である。
【図５】本考案に係る第１実施例のロック部材の位置規制を示す断面図である。
【図６】本考案に係る第１実施例の使用状態を示す動作図である。
【図７】本考案に係る第１実施例の使用状態を示す図である。
【図８】本考案に係る第１実施例のロック解除の使用状態を示す図である。
【図９】本考案に係る第１実施例のロック解除を示す断面図である。
【図１０】本考案に係る第２実施例の外観を示す斜視図である。
【図１１】本考案に係る第２実施例を示す分解斜視図である。
【図１２】本考案に係る第２実施例を示す他の角度からの分解斜視図である。
【図１３】本考案に係る第２実施例を示す断面図である。
【図１４】本考案に係る第３実施例の外観を示す斜視図である。
【図１５】本考案に係る第３実施例を示す分解斜視図である。
【考案を実施するための形態】
【００１０】
図１〜図９は、本考案の第１実施例のコネクタポートのロック構造を示している。図１〜図９に示すように、コネクタポートロック構造は、コネクタポート１０と、接続部材２０と、弾性部材３０と、ロック部材４０とを含む。
【００１１】
コネクタポート１０は、受容空間１１とスライド溝１２とを有し、受容空間１１の一側面にスライド溝１２が位置され、コネクタポート１０のスライド溝１２の上方に貫通孔１３が隣接されている。
【００１２】
コネクタポート１０の後端に接続部材２０が結合され、接続部材２０に位置決め部２１が設けられている。
【００１３】
弾性部材３０に少なくとも一つの弾性係合部３１が設けられ、接続部材２０の位置決め部２１内に弾性部材３０が設けられ、弾性部材３０は、金属材料又は他の弾性材料で作製されている。
【００１４】
ロック部材４０の一端に棒材部４１が設けられ、棒材部４１の後端にフック部４２が設けられ、フック部４２が弾性部材３０の少なくとも一つの弾性係合部３１と互いに係合され、ロック部材４０の棒材部４１の両側に板材部４３が後ろ向きに延在して接続されている。
コネクタポート１０のスライド溝１２内にロック部材４０が設けられ、ロック部材４０の棒材部４１と板材部４３とが一体に成形された枠体である。
【００１５】
接続部材２０の位置決め部２１は凹溝であり、弾性部材３０に接続部３０１が設けられ、接続部３０１の両端に係止部３０２がそれぞれ垂直に延在し、各係止部３０２の末端に曲折部３０３が延在されてる。
弾性部材３０の各曲折部３０３を接続部材２０の凹溝内壁に係止可能となるように対応する両弾性係合部３１が形成され、ロック部材４０のフック部４２が対応する２つの弾性係合部３１の係止部３０２の間に係止されている。
ロック部材４０のフック部４２を挿通するため、接続部材２０の凹溝内に貫通孔２１１が設けられ、また、弾性部材３０の位置を規制するため、接続部材２０の凹溝内に突起２１２が設けられている。
【００１６】
さらに、スライド溝１２内に両側に設けられた滑り溝１２１を有し、各滑り溝１２１がスライド溝１２の延在方向に沿って設けられ、各滑り溝１２１内にガイド部１２２が設けられ、ガイド部１２２の内側に位置規制面１２３が形成される。
ロック部材４０の一端にある棒材部４１の両側にストッパフランジ４１１が設けられ、ロック部材４０がスライド溝１２の延在方向に沿ってシフト運動を行うとき、棒材部４１の両側のストッパフランジ４１１がコネクタポート１０のガイド部１２２の位置規制面１２３に当接され、ロック部材４０の行き過ぎをストップさせることができる。
さらに、コネクタポート１０の後端に接続部材２０が接続されるため、コネクタポート１０の後端両側に２つのスロット１０１が設けられ、接続部材２０の両側に２つのサイド棒２０１が対応して設けられている。
【００１７】
図１〜図１３を参照する。
本考案は、実際に使用されるときに、接続部材２０の位置決め部２１を枠体（図１０〜図１３を参照。すなわち第２実施例）とし、弾性部材３０がシートであり、シートが枠体と結合され、シート内にＩ字状開孔３０４が設けられて、ロック部材４０のフック部４２を対応する２つの弾性係合部３１の間に係合可能となるように、Ｉ字状開孔３０４の両側に２つの対応する弾性係合部３１が形成されている。シートが枠体と互いに結合されるため、接続部材２０の枠体の両側の内壁に凹溝２１３が設けられ、シートの両側の外端に対応する突起３０５が設けられる。他の部品について前記と同じであるため、繰り返して説明しない。
【００１８】
上記構造により構成されたコネクタポートのロック構造は、図１〜図１３に示すように、コネクタポート１０、接続部材２０、弾性部材３０及びロック部材４０の組合せからなる。
コネクタポート１０の後端に接続部材２０が結合される。
弾性部材３０には少なくとも一つの弾性係合部３１が設けられる。
接続部材２０の位置決め部２１内に弾性部材３０が設けられる。
ロック部材４０の一端に棒材部４１が設けられ、棒材部４１の後端にフック部４２が設けられる。
フック部４２が弾性部材３０の少なくとも一つの弾性係合部３１と互いに係合され、ロック部材４０の棒材部４１の両側に板材部４３が後ろ向きに延在して接続される。
コネクタポート１０のスライド溝１２内にロック部材４０が設けられていることによって、ロック部材４０に設けられた板材部４３がコネクタポート１０の先端に移動されたとき（図６〜図７を参照）、ＬＡＮケーブルのモジュラープラグ５０のロックレバー５１と互いに係合して接続される。
このとき、ロック部材４０のフック部４２が接続部材２０の位置決め部２１内に設けられた弾性部材３０の少なくとも一つの弾性係合部３１に接触されるまでコネクタポート１０のスライド溝１２内にロック部材４０をさらに押し付ける。
その後、弾性部材３０の少なくとも一つの弾性係合部３１が先に押出しにより広げられ、フック部４２が弾性部材３０の少なくとも一つの弾性係合部３１を超えると、弾性部材３０の少なくとも一つの弾性係合部３１が自体の弾性復原力により元の位置に復原される。
そうすると、ロック部材４０のフック部４２が弾性部材３０の少なくとも一つの弾性係合部３１と互いに結合されるようになる。
実施例１の場合、ロック部材４０のフック部４２が接続部材２０の位置決め部２１内に設けられた弾性部材３０の少なくとも一つの弾性係合部３１（すなわち、係止部３０２）に接触される。その後、弾性部材３０の両係止部３０２が先に押出しにより広げられ、フック部４２が弾性部材３０の両係止部３０２を超えると、弾性部材３０の末端に延在された曲折部３０３が自体の弾性復原力により元の位置に復原される。両係止部３０２もそれに応じて元の位置に復原される。そうすると、ロック部材４０のフック部４２が弾性部材３０の両係止部３０２と互いに結合されるようになる。実施例２の場合、ロック部材４０のフック部４２が接続部材２０の位置決め部２１内における弾性部材３０の少なくとも一つの弾性係合部３１（すなわち、シート内に設けられたＩ字状開孔３０４の両側に形成された２つの対応する弾性係合部３１）に接触される。その後、弾性部材３０の２つの弾性係合部３１が先に押出しにより広げられ、フック部４２が弾性部材３０の２つの弾性係合部３１を超えると、弾性部材３０の２つの弾性係合部３１が自体の弾性復原力により元の位置に復原される。そうすると、ロック部材４０のフック部４２が弾性部材３０の２つの弾性係合部３１と互いに結合されるようになる。
このように、ＬＡＮケーブルのモジュラープラグ５０がコネクタポート１０内にロックされ、無断接続及び窃盗を有効に防止する。
さらに、弾性部材３０は、金属材料又は他の弾性材料で作製されているため、耐用性が大幅に向上される。
また、ＬＡＮケーブルのモジュラープラグ５０を抜こうとする場合には（図７〜図９を参照）、分離部材６０によりロック解除を速やかに行うことができる。
分離部材６０は、少なくとも一端にＵ字状ヘッド６１が設けられ、Ｕ字状ヘッド６１の先端両側に斜め案内部６１１が形成される。
ロック解除のときに、分離部材６０のＵ字状ヘッド６１をコネクタポート１０のスライド溝１２の上方の貫通孔１３から挿入する。
このとき、Ｕ字状ヘッド６１の先端両側に形成された斜め案内部６１１が弾性部材３０の少なくとも一つの弾性係合部３１内に容易に導入されながら弾性部材３０の少なくとも一つの弾性係合部３１（すなわち、両係止部３０２）を徐々に広げて行く。
このようにして、ロック部材４０をコネクタポート１０の前方からある間隔が離れるように押し付けることにより、ロック部材４０のフック部４２と弾性部材３０の両係止部３０２とがロック解除状態になり（ロック部材４０がスライド溝１２の延在方向に沿ってシフト運動を行うとき、棒材部４１の両側のストッパフランジ４１１がコネクタポート１０のガイド部１２２の位置規制面１２３まで当接され、ロック部材４０の行き過ぎがストップされる。）、ＬＡＮケーブルのモジュラープラグ５０のロックレバー５１をロック部材４０と分離させる。
以上に説明したように、組み立て易く、ケーブルの緩みの防止、コネクタポートの無断接続の防止、ケーブルの窃盗の防止、耐用性の向上などの効果を備え、全体の実用性、安全性及び利便性が向上されることが、本考案の特徴である。
【００１９】
また、実際に使用されるとき、コネクタポート１０は、固定式コネクタポート、引出し式コネクタポート又は他の類似コネクタポートであっても良い（図１、図１０、図１４及び図１５を参照。第１〜第３実施例では、第２及び第３実施例について第１実施例と同じ部分を繰り返して説明しないが、第３実施例は、コネクタポート１０と接続部材２０と弾性部材３０とロック部材４０とを有する外、接続部材２０の後端に端子座７０がさらに設けられている）。
【００２０】
以上詳細に説明したように、いずれの当該分野における通常の知識を有する専門家によっても、本考案が前記目的を確かに達成できると容易に理解でき、実用新案法に規定されている要件が満足されている為、法に基づいて実用新案出願を提起した。
【００２１】
しかし、以上は、単に本考案の具体的な実施例に過ぎず、本考案の実用新案登録請求の範囲を局限するものではない。いずれの当該分野における通常の知識を有する専門家も、本考案の分野の中で、適当に変更や修飾などを実施できるが、それらの実施が本考案の主張範囲内に納入されるべきことは言うまでもないことである。
【符号の説明】
【００２２】
１０  コネクタポート
１１  受容空間
１２  スライド溝
１３  貫通孔
２０  接続部材
２１  位置決め部
３０  弾性部材
３１  弾性係合部
４０  ロック部材
４１  棒材部
４２  フック部
４３  板材部
５０  モジュラープラグ
５１  ロックレバー
６０  分離部材
６１  Ｕ字状ヘッド
７０  端子座
１０１  スロット
１２１  滑り溝
１２２  ガイド部
１２３  位置規制面
２０１  サイド棒
２１１  貫通孔
２１２  突起
２１３  凹溝
３０１  接続部
３０２  係止部
３０３  曲折部
３０４  Ｉ字状開孔
３０５  突起
４１１  ストッパフランジ
６１１  斜め案内部
【図１】
0003178693.tif 000003
【図２】
0003178693.tif 000004
【図３】
0003178693.tif 000005
【図４】
0003178693.tif 000006
【図５】
0003178693.tif 000007
【図６】
0003178693.tif 000008
【図７】
0003178693.tif 000009
【図８】
0003178693.tif 000010
【図９】
0003178693.tif 000011
【図１０】
0003178693.tif 000012
【図１１】
0003178693.tif 000013
【図１２】
0003178693.tif 000014
【図１３】
0003178693.tif 000015
【図１４】
0003178693.tif 000016
【図１５】
0003178693.tif 000017